(57)【特許請求の範囲】
【請求項１】
門扉の下に設置されるとともに門扉の落とし棒を受けるように構成された落とし棒受け具であって、
中空部を有する円筒状を呈するとともに、地面に固定されるベース部材と、
上端に開口部を有する有底筒状の軟質素材からなり、前記ベース部材の中空部に着脱自在に取り付けられるとともに、内周部にて前記落とし棒を保持するように構成された落とし棒ガイド部材と、
を備えており、
前記ベース部材は、内周部の上部に、内側に向かって凸状に形成された凸部を有しており、
前記落とし棒ガイド部材は、前記中空部に取り付けられた時に前記凸部に下方から係合するように構成された係合部を外周部に有するとともに、前記中空部に取り付けられた時に前記ベース部材の上端部よりも上側で且つ外側に位置する鍔部を前記開口部の周囲に形成したことを特徴とする落とし棒受け具。
【請求項２】
前記落とし棒ガイド部材は、前記開口部の周りにフランジ部を有し、前記フランジ部から前記鍔部を延出させたことを特徴とする請求項１に記載の落とし棒受け具。
【請求項３】
前記落とし棒ガイド部材は、内周部に、上方にテーパー部が形成された複数の第１リブを備えることを特徴とする請求項２に記載の落とし棒受け具。
【請求項４】
前記係合部は、下方にテーパー部が形成された複数の第２リブで構成されており、前記第２リブが前記第１リブの配置位置に対応する位置にそれぞれ配置されることを特徴とする請求項３に記載の落とし棒受け具。
【発明の詳細な説明】
【技術分野】
【０００１】
本発明は、門扉の下の地面に設置されるとともに門扉の落とし棒を受けるように構成された落とし棒受け具に関する。
【背景技術】
【０００２】
住宅の多くは、外構えの出入口として門を備える。門の多くは、門柱および門扉を備える。門扉は、門柱に対して回動自在またはスライド自在に設けられる。そして、この門扉が動かないように保持するために、落とし棒が良く用いられる。落とし棒は門扉に取り付けられており、この落とし棒が門扉下方の地面に設けられた筒状の受け具によって保持されることによって、門扉が動かないようになる。
【０００３】
ここで、門扉の落とし棒受け具は、地面に固着されるため、中空部にゴミが溜まっても取り除くことが難しい。中空部に溜まったゴミを放置すると、門の外観を悪くするだけでなく、落とし棒受け具の機能を低下させるため、都合が悪い。
【０００４】
そこで、従来技術の中には、内筒と外筒とからなっており、内筒を外筒から適宜取り外すことにより、ゴミを容易に取り除けるように構成された門扉の落し錠受け装置が存在する（例えば、特許文献１参照。）。
【特許文献１】特開平８−９３３６７号公報
【発明の開示】
【発明が解決しようとする課題】
【０００５】
しかしながら、特許文献１に係る門扉の落とし錠受け装置では、設置にモルタル工事が伴う。また、落とし棒が内筒に対してガタつくおそれがある。落とし棒が内筒に対してガタつく場合には、風などによって門扉が揺れた場合に不快な音を出すという不具合が生じる。
【０００６】
本発明の目的は、施工が容易であるとともに清掃が行ない易く、かつ、落とし棒のガタつきを適正に防止できる、門扉の落とし棒受け具を提供することである。
【課題を解決するための手段】
【０００７】
（１）  本発明に係る落とし棒受け具は、門扉の下に設置されるとともに門扉の落とし棒を受けるように構成される。落とし棒受け具は、ベース部材および落とし棒ガイド部材を備える。
【０００８】
ベース部材は、中空部を有する円筒状を呈する。ここで、円筒状の意味には有底円筒状が含まれる。ベース部材は、有底円筒状であっても適正に機能する。べース部材は、地面に固定される。さらに、ベース部材は、内側に向かって凸状に形成された凸部を内周部の上部に有している。
【０００９】
一方、落とし棒ガイド部材は、有底筒状の軟質素材からなる。軟質素材の代表例として、エラストマが挙げられる。また、落とし棒ガイド部材の素材として、エチレンプロピレンジエンゴム（ＥＰＤＭ）およびクロロピレンゴム（ＣＲ）などのゴムや、ポリエチレン（ＬＤＰＥ、ＬＬＤＰＥ等）およびエチレン酢酸ビニル共重合体（ＥＶＡ）などの樹脂素材を用いても良い。落とし棒ガイド部材は、ベース部材の中空部に着脱自在に取り付けられるとともに、内周部にて落とし棒を保持するように構成される。例えば、落とし棒がぴったり嵌まる大きさに落とし棒の受け部材の内径を設定したり、または、落とし棒ガイド部材の内周部に落とし棒と圧接する複数のリブを設けたりすることによって、内周部にて落とし棒が適正に保持される。
【００１０】
さらに、落とし棒ガイド部材は、外周部に、ベース部材の内周の凸部に係合するように構成された係合部を有するとともに、外側に向かって張り出した複数の鍔部を有している。鍔部に対して指等で力を加えたときに、落とし棒ガイド部材が変形することで、凸部と第２リブと係合状態が解除され、落とし棒ガイド部材がベース部材から取り外し易くなる。
【００１１】
本発明に係る落とし棒受け具は、ベース部材が円筒状であるため、ドリルおよび接着剤によって簡易に施工できる。つまり、施工にあたってモルタル工事を行なわなくても良くなる。また、ベース部材から落とし棒ガイド部材が取り外せるため、清掃が行ない易い。さらに、落とし棒を保持する落とし棒ガイド部材が軟質素材で構成されているため、落とし棒が落とし棒ガイド部材に対してガタついた場合でも、衝撃を吸収することによって不快な音の発生が抑えられる。
【００１２】
（２）  なお、落とし棒ガイド部材は、開口部の周りにフランジ部を有し、このフランジ部から鍔部を延出させることが好ましい。鍔部に指をかけることで、落とし棒ガイド部材をベース部材から取り外し易くなるとともに、鍔部に力を加えて落とし棒ガイド部材をベース部材に取りつけ易くなる。
【００１３】
（３）  また、落とし棒ガイド部材は、内周部に、上方にテーパー部が形成された複数の第１リブを備えることが好ましい。その理由は、第１リブを落とし棒に圧接させることで、落とし棒のガタつきをより確実に防止できるからである。また、落とし棒ガイド部材の内周部と落とし棒との間の接触面積を減らし摩擦を減らすことで、落とし棒ガイド部材に対して落とし棒を出し入れさせ易くなるからである。
【００１４】
（４）  さらに、落とし棒ガイド部材の係合部は、下方にテーパー部が形成された複数の第２リブで構成されており、第２リブが第１リブの配置位置に対応する位置にそれぞれ配置されることが好ましい。ここで、「対応する位置に配置される」とは、落とし棒ガイド部材の半径方向に沿って伸びる同一直線上に第１リブおよび第２リブが配置されることを意味する。ただし、周方向の僅かなズレは、許容されるものとする。また、第２リブにテーパー部があれば、落とし棒ガイド部材をベース部材に取り付け易い。また、このテーパー部により、落とし棒ガイド部材とベース部材の間に隙間が生じるため、落とし棒ガイド部材をベース部材内部で変形させ易くなる。
【発明の効果】
【００１６】
本発明の落とし棒受け具によれば、施工が容易であるとともに清掃が行ない易く、かつ、落とし棒のガタつきを適正に防止できる。
【発明を実施するための最良の形態】
【００１７】
以下、図１〜図５を用いて、本発明の門扉の落とし棒受け具の実施形態を説明する。図１に示すように、落とし棒受け具５０は、門扉の下方に位置する地面１６に設けられた設置穴１８に設置される。設置穴１８は、門扉の落とし棒１４の真下に、コンクリートドリル等によって形成される。落とし棒受け具５０は、ベース部材１２および落とし棒ガイド１０を備える。なお、図１では、説明の便宜上、ベース部材１２が地面１６から張り出した状態を示している。
【００１８】
ベース部材１２は、図２（Ａ）〜図２（Ｅ）に示すように、円筒状を呈している。ベース部材１２の中空部には、落とし棒ガイド１０を収容するための内部空間１２５が形成される。ベース部材１２の内周部には、内部空間１２５に向かって突出した凸部１２１が形成される。ベース部材１２は、設置穴１８に挿入される。設置穴１８に挿入されたベース部材１２は、接着剤によって設置穴１８内に固定される。なお、本実施形態では、ベース部材１２として、ポリプロピレンを用いている。ただし、ベース部材の素材はこれに限定されるものではなく、その他の硬質樹脂素材や金属材料（例えば、アルミ）を用いても良い。
【００１９】
落とし棒ガイド１０は、エラストマ等の軟質素材で構成される。落とし棒ガイド１０は、図３（Ａ）〜図３（Ｅ）に示すように、上方に開口部１０５を有する有底筒状を呈している。落とし棒ガイド１０は、外周面に等間隔に形成された３つの外側リブ１０３、および内周面に等間隔に形成された３つの内側リブ１０２を備える。本実施形態では、内側リブ１０２が第１リブに対応し、外側リブ１０３が第２リブに対応する。外側リブ１０３のそれぞれは、その高さが底部に向かって低くなるように形成されたテーパー部１０４を有している。テーパー部１０４は、落とし棒ガイド１０をベース部材１２に挿入し易くするとともに、ベース部材１２内部で落とし棒ガイド１０の周壁が外側に撓み易くすることを意図したものである。
【００２０】
内側リブ１０２のそれぞれは、その高さが上方に向かって低くなるように形成されたテーパー部１０６を有している。内側リブ１０２は、それぞれ外側リブ１０３の配置位置に対応する位置に配置される。さらに、落とし棒ガイド１０は、開口部１０５の周囲にフランジ部１０１を備える。図３（Ｃ）および図３（Ｄ）に示すように、フランジ部１０１には、等間隔に３つの鍔部１０７が設けられる。鍔部１０７は、フランジ部１０１の他の箇所よりも張り出すように構成される。また、鍔部１０７は、外側リブ１０３の配置位置に対応する位置に設けられる。
【００２１】
図４（Ａ）および図４（Ｂ）を用いて、落とし棒１４の挿入時におけるベース部材１２および落とし棒ガイド１０の作用を説明する。図４（Ａ）に示すように、落とし棒ガイド１０をベース部材１２に取り付けたときに、外側リブ１０３と凸部１２１とがそれぞれ係合する。そして、図４（Ｂ）に示すように、落とし棒１４は、真上から落とし棒ガイド１０に挿入される。落とし棒１４はテーパー部１０６に当接し、落とし棒ガイド１０の周壁を外部に押し広げつつ、落とし棒ガイド１０の内部に進入する。
【００２２】
落とし棒ガイド１０の周壁が落とし棒１４によって外部に押し広げられることにより、外側リブ１０３と凸部１２１とがより強く係合するようになる。このため、落とし棒１４が挿入された状態において、落とし棒ガイド１０がベース部材１２から外れにくくなる。例えば、落とし棒１４を落とし棒ガイド１０から引き上げる際に、内側リブ１０２と落とし棒１４との摩擦力の作用により、落とし棒受け部材１０がベース部材１２から抜けることがない。特に、本実施形態のように、内側リブ１０２よりも凸部１２１を上方に配置しておけば、落とし棒１４を落とし棒ガイド１０から引き上げる際に、落とし棒ガイド１０がベース部材１２から抜けることを確実に防止できる。
【００２３】
また、３つの内側リブ１０２と落とし棒１４とが圧接することによって、落とし棒１４がしっかり保持されるため、落とし棒１４が落とし棒ガイド１０に対してガタつくことがない。
【００２４】
一方、落とし棒１４によって外部に押し広げられていた落とし棒ガイド１０の周壁は、落とし棒１４が取り除かれると、弾性によって元の位置に復帰する。このため、外側リブ１０３と凸部１２１との係合強度がやや弱まる。この結果、鍔部１０７に指をかけて、落とし棒ガイド１０を引き上げれば、比較的容易に落とし棒ガイド１０をベース部材１２から取り外すことができる。このため、落とし棒ガイド１０を取り外して、内部を清掃する作業を容易に行なうことが可能となる。
【００２５】
なお、互いに内径の異なる落とし棒ガイド１０のバリエーションを複数用意しておくことで、互いに異なる径の落とし棒１４に対応することが可能になる。
【００２６】
また、図５に示すように、内側リブ１０２の位置が外側リブ１０３および鍔部１０７の位置に対して周方向に僅かにズレていても、落とし棒ガイド１０が適正に機能する。このため、本発明において、外側リブ１０３と内側リブ１０２とが、必ずしも落とし棒ガイド１０の半径方向に沿った同一の直線上に配置されなくとも良いと解釈されるべきである。
【００２７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００２８】
【図１】実施形態に係る門扉の落とし棒受け具の構成を示す図である。
【図２】ベース部材の構成を説明する図である。
【図３】落とし棒ガイドの構成を説明する図である。
【図４】ベース部材と落とし棒ガイドとの係合状態を示す図である。
【図５】落とし棒ガイドの構成の他の例を説明する図である。
【符号の説明】
【００２９】
１０−落とし棒ガイド
１２−ベース部材
１４−落とし棒
１６−地面
１８−設置穴
５０−落とし棒受け具
【図１】
0004843366.tif 000002
【図２】
0004843366.tif 000003
【図３】
0004843366.tif 000004
【図４】
0004843366.tif 000005
【図５】
0004843366.tif 000006